(57)【要約】【課題】軽量な試験器において、容器を開封することなく、片手で操作することにより香水試験などを行うことが可能で製作コストの低減を達成することが可能な揮発剤発散容器を提供することが望まれていた。【解決手段】筒体と、その筒体と摺動可能な嵌め合い部を持つ蓋体によって構成される容器おいて、完全嵌め合い状態で圧縮状態になる弾性体を内部に有するとともに、内部に揮発剤の含浸材を有するとともに、嵌め合い部以外のいずれかの箇所に通気孔を設けることを特徴とする揮発剤発散容器を提供するを提供する。【選択図】図１
2006180996.tif 000002
【特許請求の範囲】
【請求項１】
筒体と、その筒体と摺動可能な嵌め合い部を持つ蓋体によって構成される容器おいて、完全嵌め合い状態で圧縮状態になる弾性体を内部に有するとともに、内部に揮発剤の含浸材を有するとともに、嵌め合い部以外のいずれかの箇所に通気孔を設けることを特徴とする揮発剤発散容器。
【請求項２】
前記揮発剤の含浸材の周囲を断水製包装材で覆っていることを特徴とする、請求項１記載の揮発剤発散容器。
【請求項３】
前記弾性体がスポンジであることを特徴とする請求項１または２記載の揮発剤発散容器。
【請求項４】
前記容器において、通気孔を蓋体上部に設けることを特徴とする、請求項１から３何れか記載の揮発剤発散容器。
【発明の詳細な説明】
【技術分野】
【０００１】
筒体と、その筒体と摺動可能な嵌め合い部を持つ蓋体によって構成される容器おいて、当該容器内に香水などの揮発剤を染み込ませた含浸材を有し、容器の蓋体を摺動することにより揮発剤を発散可能な揮発剤発散容器に関するものである。
【背景技術】
【０００２】
従来、香水の芳香的特徴に関して、販売店における内容物の確認、及び店頭での販売促進を行うにあたっては、多くの場合、商品の少なくとも一つを開封しそれ自体を試嗅する、もしくは商品の一つを開封し吸収性紙製の細片等に香水を塗布し、それを試嗅等していた。
【０００３】
しかしながらこの方法によると、販売店における店員の試嗅、および店頭での販売促進に関しては、店毎に少なくとも販売用製品の少なくとも一つを開封することになり、その分の負担がメーカーもしくは販売店等に発生してしまう。
【０００４】
また、街頭等において直接的な配布、または郵便等の送付形式による配布により、一定時間に大量の利用者に製品告知をすることを目的とした場合、小瓶に分けて「試供品」として配布することも有り得るが、この方法によると費用が高くついてしまう。また、ワレモノ素材を使用した場合、破損する危険性を免れないため、安全性が高いものとは言い難く、取り扱いに注意を要する。
【０００５】
そのため、下記公知文献記載のごとく、香水を染み込ませた吸収紙製の試験細片をプラスチックシートで覆ったものを配布する方法が考えられるが、この場合、その利用時において、吸収性材料性の試験細片が剥き出しになるため、香水液が被服に付着する等の可能性があることは否定できず、利用者にとっては、その点を注意しなければならない。また、このような試験器は両手で作業することが必要となることが想定されるため、利用者にとっては手軽に扱えるものとは言い難い。
【０００６】
特許文献は以下の通り。
【特許文献１】特表２００４−５１４４７７号公報
【発明の開示】
【発明が解決しようとする課題】
【０００７】
販売店において、店員が製品内容を確認する際に販売用製品の少なくとも一つを開封することなく、必要な時に必要量の香水を試嗅することを可能にすることにある。また、店員は短時間に種々の異なる製品を試嗅することが要求されるので、その作業効率を向上させるためにも、試験器については、軽量かつ片手で迅速に取り扱えることが望まれる。
【０００８】
また、最終消費者に対する製品告知において、大量の消費者に試嗅してもらうことを想定した場合、多くの場合、最終消費者が対象になるため、より一層の安全性を追求すること、更には大量生産が前提になるため、製作費用の軽減を達成することが課題となる。
【課題を解決するための手段】
【０００９】
請求項１に係る本発明は、香水試験器などの揮発剤発散容器として、筒体と、その筒体と摺動可能な嵌め合い部を持つ蓋体によって構成される容器おいて、完全嵌め合い状態で圧縮状態になる弾性体を内部に有するとともに、内部に揮発剤の含浸材を有するとともに
、嵌め合い部以外のいずれかの箇所に通気孔を設けることを特徴とする揮発剤発散容器を提供することによって、上記課題を解決しようとするものである。
【００１０】
これにより総重量を軽量化するためには、各部品において極力軽い素材を使用することが求められる。従来の揮発剤発散容器の多くは、揮発剤を含浸した吸収性紙製の試験細片を容器内に直接格納していたため、容器をはじめとした試験器を構成する他部材の素材については、その耐性を持ち得た素材を使わざるを得なかった。しかし、本発明においては、含浸剤をフィルムで覆うことにより、含浸剤に含浸した香水液などの揮発剤が直接その周囲に触れないため、他部材の素材に関する制約を課さないため、それ以外の要素（安全面、コスト面、重量等）を重視した、もしくは移り香を防止できるより自由度の高い選択が可能となる。
【００１１】
本発明においては、従来のように容器を開封する形式ではなく、蓋体が押下されることにより通気孔から香料などの揮発剤が噴出する形式をとる香水試験器のため、利用前の準備および利用後の処理過程がなくなるため、煩雑さが軽減される。また、香水液などの揮発剤もしくは香水液などの揮発剤を含浸した部材に直接触れることがないため、香水試験などの揮発剤の確認を手軽にかつ迅速に処理することが可能となる。
【００１２】
また、利用者が筒体を掌で支え、同腕の親指等で蓋体上部を押すことにより利用することを想定した構造にすることにより、片手で利用することが可能となる。
【００１３】
さらに、低価格の素材および簡易な設計とすることにより、製作コストの低減を実現する。
【００１４】
請求項２に係る本発明は、前記揮発剤の含浸材の周囲を断水製包装材で覆っていることを特徴とする、請求項１記載の揮発剤発散容器を提供することによって、上記課題を解決しようとするものである。
【００１５】
これにより、揮発剤が弾性体に直接接触することがなくなり、香水液などの揮発剤のよりスポンジなどの弾性体が劣化するのを防止することができる。
【００１６】
請求項３に係る本発明は、弾性体がスポンジであることを特徴とする請求項１または２記載の揮発剤発散容器を提供することによって、上記課題を解決しようとするものである。
【００１７】
すなわち、弾性体に使用する部材に、スポンジ素材の軽量かつ安全なものをもちいることにより、軽量化および安全性を高めることができる。
【００１８】
請求項４に係る本発明は、前記容器において、通気孔を蓋体上部に設けることを特徴とする、請求項１から３何れか記載の揮発剤発散容器を提供することによって、上記課題を解決しようとするものである。
【００１９】
これにより、香水などの揮発剤を嗅ぐのに便利になるとともに、手で握った部分により通気孔が塞がれてしまう様な問題点が生じにくい構造となるとともに、低価格の素材および簡易な設計とすることになり、製作コストの低減を実現することができる。
【発明の効果】
【００２０】
これにより、販売店において、本発明を実施することにより、店員が製品内容を確認する際に販売用製品の少なくとも一つを開封することなく、必要な時に必要量の香水を試嗅することが可能になる。また、軽量な試験器において、容器を開封することなく、片手で
操作することにより香水試験などを行うことが可能になるため、迅速に異なるサンプルを確認することが容易なため、販売店の店員の作業効率に寄与する。加えて、一回の使用において噴出される香料の容量は一定のため、必要以上の使用が避けられ、無駄を省くことができる。また、使用後は店頭において、最終消費者向けのサンプルとしての使い道も考えられる。
他方、本発明を実施することにより、最終消費者の利用時においても、上記内容のメリットを享受できる。また、最終消費者が対象の場合は、更に高度な「安全性」が追求されるが、この点については、上記の手段によれば、「機能性」を損なうことなく、全ての部材において安全性の高い素材を利用することが可能となる。
【００２１】
さらに、上記の手段の通り、試験細片にフィルム加工を施すことにより、容器および弾性体等の素材選択時に、特別な制約が発生しないため、各素材費用を抑えることを重視することも可能になる。また、併せて、簡易な構造により、製作コストの低減を達成することも可能である。
【発明を実施するための最良の形態】
【００２２】
本願発明の発明を実施するための形態のうち、試した中で最も最良と思われる形態を、揮発剤発散容器が香水試験器である場合を用いて以下説明する。
【００２３】
本発明の一つの形態として、筒体と蓋体によって構成される容器内に、香水を染み込ませた吸収性材料性の試験細片および弾性体を収容したものが考えられる。
【００２４】
容器は、筒体と蓋体によって構成される。筒体と蓋体の嵌め合い部は最も押し込んだ状態で密閉された状態で重なり合う様になっており、筒体に対して蓋体が軸方向に対して摺動可能な様になっている。なお、このとき摺動可能な範囲を特に限定する事無く、完全に分離できる様な構造にしても構わないが、分離してから筒体と蓋体を嵌め合わせるのが容易でない、もしくは防止する場合はストッパーを設けて分離防止させることも構わない。なお、一般に回転方向への摺動は自由である場合が多いが、ねじれなどによる問題が発生する場合は、回転ストッパー、もしくは案内ガイドなどを設けるのも構わない。
【００２５】
また、容器本体については、揮発剤は一般に液体であるが、直接触れる必要性ならびに可能性も低いことから、その液体への耐性を必要とされない場合が多く、金属・ガラス等よりも軽量な素材である紙等を用いることも可能である。このことは、当該香水試験器の軽量化をもたらすのみならず、その表面に微細な印字を施すことに適する性質も持ち合わせているので、商品名・画像等を容器外面に記載することにより、宣伝・販促ツールの役割も果たす試験器とすることが可能である。
【００２６】
含浸材は、吸収性材料製の素材を使用し、香水などの揮発剤を染み込ませたものである。一般に容器内に格納され、容器内に香料を充満させる機能を有する。この含浸材は容器内部のどの部分でも実施可能であるが、容器への接触を防止するためと、発散を効率よくするために弾性体に取り付けられるのが好ましい。
【００２７】
弾性体は、力を加えた状態、つまり完全に筒体と蓋体が嵌め合わされた状態では、蓋体上端内部と筒体下端内部に軸方向に広がる様な伸縮復元力が加わる様になっている。なお、逆に力を加えない自由状態では弾性体の伸縮復元力により完全に筒体と蓋体が分離するため、この状態以外の筒体および蓋体の一部が嵌め合わされた中間状態である必要がある。なお、分離してから筒体と蓋体を嵌め合わせるのが容易でない、もしくは防止する場合は、蓋体上端内部と筒体下端内部に接着剤等の各種接着手段によって固定するのが好ましい。
【００２８】
これは、当該弾性体がスポンジ、バネなどの様な圧縮可能な弾性体の場合は、その弾性体長を、容器長、つまり完全に筒体と蓋体が嵌め合わされた状態の蓋体上端内部と筒体下端内部の間隔（長さ）より大きいものとすることによって簡単に構成できる。従って自由状態、すなわち初期状態では、蓋体は弾性体によって、その差分だけ上に持ち上げられた形となる。
【００２９】
この場合、利用者において蓋体が押下された際、弾性体は圧縮され復元力を蓄える。従って、押下状態が解除された際は、蓋体を再度元の位置まで押し上げる復元力を与えるものとして機能する。なお、復元力のエネルギーを有効に作用させるためにも、弾性体と筒内径との間隔は極力小さくするものとするのが好ましい。
【００３０】
試験細片の設置位置については、筒内のいずれの箇所にも設置可能であるが、二つの弾性体に挟みこむ構造もその一つとして考えられる。この場合、弾性体は試験細片を固定する役割も果たす機能も有する。
【００３１】
前項記載のように、二つの弾性体に試験細片を挟んだ構造を取った場合、香水が直接に弾性体に触れると、当該弾性体の劣化を招く恐れがあるが、図３のように試験細片を断水性包装材からなるフィルムでラッピングすることにより、周囲へ香水液が流出することや直接的接触を防ぐことが出来る。この方法を用いて、直接香水が弾性体に触れない設計にすることにより、当該弾性体の劣化を防ぐことが可能となる。
【００３２】
また、前項記載フィルムの素材・厚さを替えることにより、容器内における香水の発散量を調整することが可能となる。香水の香度の調整、或いは想定利用期間の調整等、当該香水試験機に求められる内容に応じて、最適なフィルム素材・厚さを選択することができる。例えば、香水への耐性を考慮した上で、ポリエチレン、ポリエチレンテレフタレートなどが考えられる。
【００３３】
通気孔は、利用時に香料を容器外へ噴出するためのものである。利用者は、当該通気孔から噴出される香料を嗅ぐことにより、香料の内容を確かめるのに用いる。通気孔はその位置や形状、個数などを問うものではないが、通気孔を蓋体上部に設ける場合は、香水などの揮発剤を嗅ぐのに便利になるとともに、手で握った部分により通気孔が塞がれてしまう様な問題点が生じにくい構造となるとともに、低価格の素材および簡易な設計とすることになり、製作コストの低減を実現することができる。しかし、側面に設けることも考えられる。また、通気孔が一個の場合は、口径については、香料の不必要な蒸散を抑制するためにも、極力小さい方が望ましい。なお、完全な通気孔の封鎖を防止するために複数個孔を設ける場合もある。
【００３４】
揮発剤は、揮発前は液体状のものが一般的であるが、固体状でいきなり昇華するものであっても構わない。さらに、揮発剤は各種香水の他、臭い発散物質が好適であるがその他のものでも構わない。
【００３５】
以下に、利用方法、およびそれに対応する本容器の動作・機能を説明する。
容器内おいては、常時、試験細片から一定の香料が発散しており、容器内の空気は、香料で満たされたものとなっている。
【００３６】
利用者は、まず、初期状態の容器において、筒体を固定しつつ、蓋体下端が筒体の咬み合い部下端へ移動するまで、蓋体を押下する。そのことにより、容器内にの体積が減少し、圧縮された容量の空気が、通気孔から噴出する。
【００３７】
その際に噴出される空気中は、香料に満たされたものとなっているため、利用者は通気孔に鼻を近づけて、その空気を嗅ぐことにより、「香水の試嗅」という本来の目的を達成することが可能となる。
【００３８】
上記の状態から、押下した蓋体から手を離すことにより、弾性体の復元力により、蓋体を元の位置まで押し上げ、その結果、当該容器の外形は、外部のエネルギーに依存せずに初期状態へ復帰する。
【００３９】
容器外形が初期状態に戻る際、通気孔から噴出によった失われた容量の空気が容器内に補充され、次回の利用時に備えることが出きる。
【００４０】
利用者により、再度、蓋体が押下された場合は、上記フローが繰り返されるという仕組みである。
【００４１】
上記の通り、香水を吸収性材料性の試験細片に染み込ませ、さらに当該試験細片をフィルムで覆うことにより、その周囲に液体は流出しない構造になっているため、容器に使用する素材は特に限定とされない。そのため、通常の香水試験器では使用できない紙等の素材も選択することができ、軽量化・安全性・価格面でメリットとなる。
【００４２】
弾性体にスポンジ等の軽量な素材を使用することにより、容器全体の軽量化の実現に寄与し、また、バネ等の金属物質の利用に比べて、安全性を向上させることが可能になる。
【００４３】
また、弾性体の素材に気密性の高い素材を使用した場合は、二つの弾性体に塞がれた箇所のみに香料が充満することになるため、気密性の低い素材を使用し容器全体に香料が充満する場合に比べて、当該試験器の利用目的に必要とされる香料は少ないもので足りることとなり、フィルムによって香料の発散量を少なくすることが可能となる。従って、結果として香料の寿命を長持ちさせるという効果を期待することが可能となる。
【００４４】
試験細片の素材については、綿が一般的であるが、その他香水や揮発剤の種類により適宜最も適切な素材を使用できる。この場合、素材としてスポンジの様な場合には弾性体と共用できる場合もある。さらに、その大きさは発散量との関係で適宜その量を調整すればよいが、使用期間を伸ばすためには保持量を多くし、被覆フィルムを調整して揮発量を少なくすれば揮発材の寿命が延びる。
【００４５】
以上は、弾性体が二つの場合を想定して記載したが、一つの弾性体を用いて、通気孔を横に設ける構造等も考えられる。
【００４６】
次に、本願揮発剤発散容器が香水試験器である場合における、販売店における利用方法を説明する。
【００４７】
香水試験器のこのような形態によって、販売店において、店員が製品内容を確認する際に商品を開封することなく、通気孔から吹き出した香料を試嗅することにより、製品内容を確認することができる。また、当該試験器の使用方法において、筒部を掌で支え、蓋部を同腕の指で押すことにより、片手での作業が可能となり、短時間に種々の異なる製品を試嗅することが要求される販売店店員の作業効率を向上させることに寄与する。加えて、一回の使用において噴出される香料の容量は一定のため、必要以上の使用が避けられ、無駄を省くことができる。また、使用後は店頭において、最終消費者向けのサンプルとしての使い道も考えられる。
【００４８】
また、この様な場合の最終消費者における利用方法を以下説明する。宣伝・販促を目的
したサンプリング等の目的で、最終消費者向けに大量の試験器を配布することを想定した場合、容器の材質に安価な素材を用いることで、原価の一部を抑えることができる。また、利用者である最終消費者の利益として、従来のように両手で容器を開閉する必要がなく、片手で蓋体部を押下だけの優れた「操作性」を有しているので、例えば他製品との比較をする際等に高度なユーザビリティを発揮する。また、試験細片等、容器内部に格納された香水液、および各種部材は、容器外に露出する構造になっていないため、香水液等が被覆に付着する恐れがなく、手軽に利用できる「機能性」を有する。更には、容器には紙等、弾性体にはスポンジ等の安全かつ軽量な素材を使用することにより、高い「安全性」「軽量化」を実現する。
【実施例】
【００４９】
本発明を香水試験器に応用した場合の実施例を図面を参照して詳細に説明する。
【００５０】
本発明の一つの形態として、図１の通り、筒体１と蓋体２によって構成される容器内に、香水を染み込ませた吸収性材料性の試験細片３および弾性体であるスポンジ４Ａ、４Ｂを有するのものが考えられる。
【００５１】
容器は、筒体１と蓋体２によって構成される。筒体と蓋体の嵌め合い部は密閉された状態で重なり合う。容器については、紙を用いておりその表面に商品名・画像等を容器外面に記載することにより、宣伝・販促ツールの役割も果たしている。
【００５２】
筒体１は、筒体下端のみ筒体底面１１ができており、天面が開放している筒状となっており、上部には嵌め合い部１２が設けられている筒状である。他方、蓋体２は、蓋体上端のみ蓋体天面２１ができており、底面が開放している。但し、蓋体天面２１中央には通気孔２３が設けられている。筒体１の筒状部の嵌め合い部１２以外の本体部１３と、蓋体２の筒状部２２は同じ径の筒となっており、完全に嵌め合わされた状態では接触する様になっている。他方、筒体１の筒状部の嵌め合い部１２は、本体部１３に比べて蓋体２の筒状部２２の厚み分だけ小さい径となっており、嵌め合わされている状態になる。
【００５３】
試験細片３は、吸収性材料製の素材を使用し、香水を染み込ませた試験細片本体３１とその包装フィルム３２からなるものである。容器内に格納され、容器内に香料を充満させる機能を有する。
【００５４】
弾性体であるスポンジ４Ａ、４Ｂは蓋体天面２１内部と筒体底面１１内部に接着剤によって固定される。このときのスポンジ４Ａ、４Ｂの長さは、容器長、つまり完全に嵌め合わさった状態の蓋体天面２１と筒体底面下端の距離より長いものを用いる。従って初期状態では、蓋体はスポンジ４Ａ、４Ｂによって、その差分だけ上に持ち上げられた形となる。
【００５５】
利用者において蓋体２が押下された際、スポンジ４Ａ、４Ｂは圧縮され復元力を蓄える。従って、押下状態が解除された際は、蓋体を再度元の位置まで押し上げる復元力を与えるものとして機能する。なお、復元力のエネルギーを有効に作用させるためにも、撓みが最小限になる様にスポンジ４Ａ、４Ｂと筒内径との間隔は極力小さくなっている。
【００５６】
試験細片３の設置位置については、図１のように、二つの弾性体、すなわちスポンジ４Ａとスポンジ４Ｂに挟みこむ構造もその一つとして考えられる。この場合、スポンジ４Ａとスポンジ４Ｂは試験細片３を固定する役割も果たす機能も有する。
【００５７】
このように、図１の様に二つのスポンジ４Ａとスポンジ４Ｂに試験細片を挟んだ構造を取った場合、香水が直接にスポンジ４Ａ、４Ｂに触れると、当該スポンジ４Ａ、４Ｂの劣
化を招く恐れがあるが、図３のように試験細片本体３１をフィルム３２でラッピングすることにより、周囲へ香水液が流出することを防ぐことが出来る。この方法を用いて、直接香水がスポンジ４Ａ、４Ｂに触れない設計にすることにより、当該スポンジ４Ａ、４Ｂの劣化を防ぐことが可能となる。
【００５８】
また、記載フィルムの素材・厚さを替えることにより、容器内における香水の発散量を調整することが可能となる。香水の香度の調整、或いは想定利用期間の調整等、当該試験機に求められる内容に応じて、最適なフィルム素材・厚さを選択する。
【００５９】
通気孔２３は、利用時に香料を容器外へ噴出するためのものである。利用者は、当該通気孔から噴出される香料を嗅ぐことにより、香料の内容を確かめる。
【００６０】
以下に、利用方法、およびそれに対応する本機器の動作・機能を説明する。
【００６１】
容器内おいては、常時、試験細片３から一定の香料が発散しており、容器内の空気は、香料で満たされたものとなっている。
【００６２】
利用者は、まず、初期状態の容器において、筒体１を固定しつつ、蓋体下端２４が筒体の嵌め合い部下端１４へ接触するまで移動するまで、蓋体２を押下する。そのことにより、図２の様に容器内の体積が減少し、圧縮された容量の空気が、通気孔２３から噴出する。
【００６３】
その際に噴出される空気中は、香料に満たされたものとなっているため、利用者は通気孔に鼻を近づけて、その空気を嗅ぐことにより、香水の試嗅という本来の目的を達成することが可能となる。
【００６４】
図２の様な上記の状態から、押下した蓋体２から手を離すことにより、スポンジ４Ａ、４Ｂの復元力により、蓋体２を元の位置まで押し上げ、その結果、当該容器の外形は、外部のエネルギーに依存せずに図１の様な初期状態へ復帰する。
【００６５】
容器外形が初期状態に戻る際、通気孔から噴出によって失われた容量の空気が容器内に補充され、次回の利用時に備えることが出来る。
【００６６】
利用者により、再度図２の様に、蓋体が押下された場合は、上記フローが繰り返されるという仕組みである。
【００６７】
上記の通り、香水を吸収性材料性の試験細片本体３１に染み込ませ、さらに当該試験細片をフィルムで覆うことにより、その周囲に液体は流出しない構造になっているため、容器に使用する素材は特に限定とされない。そのため、通常の香水試験器では使用できない紙等の素材も選択することができ、軽量化・安全性・価格面でメリットとなる。
【００６８】
弾性体にスポンジ等の軽量な素材を使用することにより、容器全体の軽量化の実現に寄与し、また、バネ等の金属物質の利用に比べて、安全性を向上させることが可能になる。
【００６９】
また、弾性体の素材に気密性の高い素材を使用した場合は、二つの弾性体に塞がれた箇所のみに香料が充満することになるため、気密性の低い素材を使用し容器全体に香料が充満する場合に比べて、当該試験器の利用目的に必要とされる香料は少ないもので足りることとなり、フィルム３２によって香料の発散量を少なくすることが可能となる。従って、結果として香料の寿命を長持ちさせるという効果を期待することが可能となる。
【００７０】
試験細片の素材については、綿を用いる。
【００７１】
通気孔の位置は噛み合い部以外ではいずれの箇所でも構わない。蓋体天面が望ましいが、側面に設けることも考えられる。また、口径については、香料の不必要な蒸散を抑制するためにも、極力小さい方が望ましい。
【００７２】
以上は、弾性体が二つの場合を想定して記載したが、一つの弾性体を用いて、通気孔を横に設ける構造等も考えられる。
【００７３】
この様な香水試験器の製造方法については、先ず外径用の筒と、その筒の内面と嵌め合わせることが可能な径を有する内径用の筒を用意する。まず、一つの端部を内側に丸め加工し、そこから本体部１３の長さで切断する。その外径用の筒の内径の直径を持つ円形の底板を切り出し、その切断部から中に入れ、丸め加工部に向かって押し込む。更に、内径用の筒をその切断部から押し込んで、外径用の筒からはみ出た長さが嵌め合い部の長さになる様に内径用の筒を切断して筒体１を製造する。
【００７４】
次に、別の外径用の筒を用意し、一つの端部を内側に丸め加工し、そこから蓋体２の長さで切断する。その外径用の筒の内径の直径を持つ円形の底板を切り出し、さらにその中央に通気孔用の孔を開けた上でその切断部から中に入れ、丸め加工部に向かって押し込む。
【００７５】
更に、自然状態の長さのスポンジ２本を用意し、試験細片本体も用意する。ここで試験細片用本体に液体状香料を含浸させた上で、図４の様に試験細片本体の高さより幅が広いフィルムを用意し、上下をはみ出した状態で横方向に、前面、背面、側面の四面を包む様に包装し、さらにその前面と背面に接着剤を塗布した上でスポンジ中央部分に前面と背面の両面を接着させ、図３の様中央部分で試験細片を伴ったスポンジができる。
【００７６】
この状態で中央部分で試験細片を伴ったスポンジの両端に接着剤を塗布し、さらに筒体内部に内挿し、蓋体を嵌め合い部で筒体に嵌め合わせて蓋体を完全に嵌め合わされるまで嵌め合わせて香水試験器を製造した。
【産業上の利用可能性】
【００７７】
本発明は、香水などを揮発させる香料などの揮発剤を染み込ませた含浸材を有し、容器の蓋体を摺動することにより揮発剤を発散可能な、試供品や販売時の実演試供などに用いられる香水試験器の様な揮発剤発散容器に関するものである。
【図面の簡単な説明】
【００７８】
【図１】本発明を香水試験器に応用した場合の斜視図である。
【図２】図１の香水試験器が完全に嵌め合わさった状態を示す斜視図である。
【図３】図１の香水試験器における中央部分で試験細片を伴ったスポンジの斜視図である。
【図４】図１の香水試験器における試験細片の製造途中の状態を示す斜視図である。
【符号の説明】
【００７９】
１：筒体
１１：筒体底面
１２：嵌め合い部
１３：本体部
１４：嵌め合い部下端
２：蓋体
２１：蓋体天面
２２：筒状部
２３：通気孔
２４：蓋体下端
３：試験細片
３１：試験細片本体
３２：フィルム
４Ａ、４Ｂ：スポンジ
【図１】
2006180996.tif 000003
【図２】
2006180996.tif 000004
【図３】
2006180996.tif 000005
【図４】
2006180996.tif 000006